(57)【特許請求の範囲】
【請求項１】
鳥の巣（Ｘ）を掬える長さを有し、互いの他端部（１ｂ，１ｂ）が接離するように、一端部（１ａ，１ａ）が連結される上爪（２）および下爪（３）を備え、さらに、上爪（２）および下爪（３）の接離動作に応じて、上爪（２）および下爪（３）の互いの対向面（３ａ，２ａ）に対して進退するように、補助爪（１５）が配置されることを特徴とする鳥の巣撤去用具。
【請求項２】
前記上爪（２）および前記下爪（３）は、前記上爪（２）および前記下爪（３）と同一方向に爪部材（１１，１２）が並列される爪ユニット（１０）が、前記上爪（２）および前記下爪（３）の接離動作に応じて爪部材（１１，１２）同士が接離できるように、前記上爪（２）および前記下爪（３）に着脱自在に取り付けられ、
前記補助爪（１５）は、爪ユニット（１０）の各爪部材（１１，１２）に配置されることを特徴とする請求項１に記載の鳥の巣撤去用具。
【請求項３】
前記上爪（２）、前記下爪（３）、前記爪ユニット（１０）、前記補助爪（１５）は、絶縁材料で成形される、もしくは、金属材料で成形された後、絶縁材料で被覆されることを特徴とする請求項２に記載の鳥の巣撤去用具。
【請求項４】
前記請求項１〜３のいずれか１項に記載の鳥の巣撤去用具（Ａ）が、間接活線工事用把持具（Ｙ）の先端部（３０ｂ）に取り付けられることを特徴とする間接活線工事用具。
【発明の詳細な説明】
【技術分野】
【０００１】
本発明は、例えば、電柱などの高所に作られた鳥の巣を撤去するために使用する鳥の巣撤去用具に関し、詳しくは、複数の爪を上下に配置することによって鳥の巣を撤去するようにした鳥の巣撤去用具および間接活線工事用具に関する。
【背景技術】
【０００２】
近年、カラスなどの鳥が電柱などの高所に巣を作ることがある。鳥の巣は、枯れ枝だけでなく、針金製のハンガーなどのワイヤーによっても作られる。このワイヤーが電線に接触すると短絡し、危険であるだけでなく、停電させることもある。そこで、鉄塔などに作られた鳥の巣を除去するための営巣材の収容具が特許文献１に開示されている。
【０００３】
この営巣材の収容具は、Ｖ字形に配置された一対のバーの各基端部が絶縁材からなる操作棒の先端に支持され、両バー間に網が張られていることを特徴としている。この営巣材の収容具を使用して巣を除去するには、二人の作業員が鉄塔に登る。そして、一人の作業員が営巣材の収容具の網を巣の下側に差し出し、もう一人の作業員が棒などによって巣を突っつくことによって突き落とす。この巣が営巣材の収容具の網上に受け止められ、巣が碍子や電線などに引っかかることなく除去される。
【先行技術文献】
【特許文献】
【０００４】
【特許文献１】特開平１１−４６４８号公報
【発明の概要】
【発明が解決しようとする課題】
【０００５】
特許文献１に開示された営巣材の収容具は、棒などによって突き落とされた鳥の巣を網上に受け止めるものである。したがって、鳥の巣は、棒によって砕かれるため、効率的に撤去することができない。
【０００６】
そこで、本発明は、電柱などの高所に作られた鳥の巣を砕くことなく撤去することができるようにした鳥の巣撤去用具および間接活線工事用具を提供することを課題とする。
【課題を解決するための手段】
【０００７】
本発明に係る鳥の巣撤去用具は、鳥の巣Ｘを掬える長さを有し、互いの他端部１ｂ，１ｂが接離するように、一端部１ａ，１ａが連結される上爪２および下爪３を備え、さらに、上爪２および下爪３の接離動作に応じて、上爪２および下爪３の互いの対向面３ａ，２ａに対して進退するように、補助爪１５が配置されることを特徴とする。
【０００８】
この場合、下爪３を鳥の巣Ｘの下側に挿し込むと、挿し込んだ下爪３に鳥の巣Ｘが引き寄せられる。すなわち、鳥の巣Ｘは下爪３に掬われる状態となって撤去される。一方、下爪３が鳥の巣Ｘの下側に挿し込まれた状態においては、上爪２が鳥の巣Ｘの上方に位置するようになるので、鳥の巣Ｘを上爪２および下爪３によって上下から挟み込めば、鳥の巣Ｘを砕くことなく、撤去することができる。また、上爪２および下爪３の接離動作に応じて、上爪２および下爪３の互いの対向面３ａ，２ａに対して進退するように、補助爪１５が配置されるので、鳥の巣Ｘがしっかりと作られている場合であっても、補助爪１５が鳥の巣Ｘに噛み込むようになり、鳥の巣Ｘを確実に撤去することができる。
【０００９】
また、本発明によれば、前記上爪２および前記下爪３は、前記上爪２および前記下爪３と同一方向に爪部材１１，１２が並列される爪ユニット１０が、前記上爪２および前記下爪３の接離動作に応じて爪部材１１，１２同士が接離できるように、前記上爪２および前記下爪３に着脱自在に取り付けられ、前記補助爪１５は、爪ユニット１０の各爪部材１１，１２に配置されるような構成を採用することもできる。
【００１０】
この場合、爪ユニット１０が、前記上爪２および前記下爪３の少なくとも一方に着脱自在に取り付けられるので、鳥の巣Ｘに対して広範囲に亘って挟み込めるようになる。すなわち、爪ユニット１０によって、鳥の巣Ｘを広範囲に亘って挟み込めるので、巣の枝やワイヤーなどを支承でき、鳥の巣Ｘを形崩れすることなく、撤去することができる。さらに、爪ユニット１０の各爪部材１１，１２に、進退自在に補助爪１５を配置するようにしたので、挟み込みと噛み込みとが同時に行われるので、しっかりと作られた鳥の巣Ｘであっても、容易に且つ確実に撤去できる。
【００１１】
また、本発明によれば、前記上爪２，前記下爪３，前記爪ユニット１０，前記補助爪１５は、絶縁材料で成形される、もしくは、金属材料で成形された後、絶縁材料で被覆されるような構成を採用することもできる。
【００１２】
この場合、上爪２および下爪３、爪ユニット１０、補助爪１５が、電線などの充電部へ接触することによる短絡を防止することができる。
【００１３】
また、本発明に係る間接活線工事用具によれば、上述したいずれかの鳥の巣撤去用具Ａを、間接活線工事用把持具Ｙの先端部３０ｂに取り付けることを特徴とする。
【００１４】
この場合、間接活線用具によって、鳥の巣撤去用具Ａを遠隔操作して鳥の巣Ｘを撤去することができる。このため、作業者は、電線などの充電部を回避しつつ安全に鳥の巣Ｘを撤去することができる。
【発明の効果】
【００１５】
本発明によれば、鳥の巣を掬える長さを有し、互いの他端部が接離するように、一端部が連結される上爪および下爪を備えたので、上爪および下爪によって、電柱などの高所に作られた鳥の巣を上下から挟むことができ、該鳥の巣を砕くことなく、容易に撤去することができる。また、上爪および下爪の接離動作に応じて、上爪および下爪の互いの対向面に対して進退するように、補助爪を配置するようにしたので、しっかりと作られた鳥の巣であっても、補助爪が鳥の巣の内部に噛み込むことによって、確実に除去できる。したがって、鳥の巣が原因で停電などのトラブルが発生しないようにすることができる。
【００１６】
また、本発明によれば、鳥の巣撤去用具を、間接活線工事用把持具の先端部に取り付けるようにしたので、鳥の巣を撤去する際に、上爪および下爪並びに補助爪を遠隔から操作できるようになり、作業者が電線などの充電部を回避しつつ安全に撤去作業を行うことができる。
【図面の簡単な説明】
【００１７】
【図１】（ａ）は、本発明の一実施形態に係る鳥の巣撤去用具における本体の側面図、（ｂ）は、図１（ａ）の平面図。
【図２】（ａ）は、本発明の一実施形態に係る鳥の巣撤去用具における爪ユニットの側面図、（ｂ）は、左右に配置される爪ユニットの平面図、（ｃ）は、図２（ａ）の背面図。
【図３】本発明の一実施形態に係る鳥の巣撤去用具を示す図であり、本体の両側に爪ユニットを取り付けた状態を示す平面図。
【図４】本発明の一実施形態に係る鳥の巣撤去用具における爪ユニットを示す図であり、上下の爪部材を閉じた状態を示す図。
【図５】本発明の一実施形態に係る鳥の巣撤去用具における動作原理を示す図。
【図６】本発明の一実施形態に係る鳥の巣撤去用具を、間接活線工事用把持具の把持部に取り付けた状態を示す図であり、（ａ）は、上下の各爪を開いた状態を示す側面図、（ｂ）は、上下の爪部材を閉じた状態を示す側面図。
【図７】間接活線工事用把持具を示す図。
【発明を実施するための形態】
【００１８】
本発明に係る鳥の巣撤去用具および間接活線工事用具の一実施施形態について図１（ａ），（ｂ）〜図６（ａ），（ｂ）を参照しつつ説明する。なお、図１（ａ）、図２（ａ）、図４、図６（ａ），（ｂ）において、各図面を正面から見て、右側を本体または爪ユニットあるいは鳥の巣撤去用具の前側、左側を本体または爪ユニットあるいは鳥の巣撤去用具の後側、上側および下側を、本体または爪ユニットあるいは鳥の巣撤去用具の上側および下側とする。また、図１（ｂ）、図２（ｂ）、図３において、各図面を正面から見て、右側を本体または爪ユニットあるいは鳥の巣撤去用具の前側、左側を本体または爪ユニットあるいは鳥の巣撤去用具の後側、上側を本体または爪ユニットあるいは鳥の巣撤去用具の左側、下側を本体または爪ユニットあるいは鳥の巣撤去用具の右側とする。また、図２（ｃ）において、図面を正面から見て、上下左右を爪ユニットの上側、下側、左側、右側とする。
【００１９】
本実施形態に係る鳥の巣撤去用具Ａは、本体１と爪ユニット１０とを備えている。本体１は、図１（ａ）に示すように、側面視略Ｖ字形状を呈しており、鳥の巣を掬うことができる長さを有する上下一対の上爪２および下爪３が、外側に向かうにしたがって大きく開口するように、かつ、接離できるように配置されている。そして、上爪２および下爪３は、後述するリンク機構が作動できるように中空に形成されており、先端部に向かうにしたがって先細りの形状を呈している。また、本体１は、図１（ｂ）に示すように、基端部（一端部）１ａ側が平面視矩形状を呈しており、先端部（他端部）１ｂ側が平面視等脚台形状を呈している。この理由としては、後述する間接活線工事用把持具Ｙの一対の把持片３５ａ，３５ｂが挿脱しやすいように平面視矩形状に形成され、鳥の巣を掬いやすいように、かつ、挟みやすいように平面視等脚台形状に形成されている。そして、本体１の基端部１ａに、後述する間接活線工事用把持具Ｙの各把持片３５ａ，３５ｂが挿入されてねじ止めされる（図６（ａ），（ｂ）参照）凹状の取付部４が形成されている。さらに、基端部１ａには、図１（ａ），（ｂ）に示すように、爪ユニット１０を固定するためのボルトＢの挿通孔１６が水平線Ｈ（長手方向の中心線ｘ）に対して直交方向に形成されるとともに、爪ユニット１０の位置決めを行うための位置決めピンが、基端部１ａの両側面から外方（挿通孔１６に平行）に向かって突設されている。一方、本体１の先端部１ｂに凹凸部、すなわち、鳥の巣を掬ったり、挟んだりした際の滑り止め５が形成されている。そして、本体１の取付部４に、間接活線工事用把持具Ｙの各把持片３５ａ，３５ｂが取り付けられた状態では、本体１の上爪２および下爪３が、間接活線工事用把持具Ｙの各把持片３５ａ，３５ｂの開閉動作に従動するようになっている。
【００２０】
爪ユニット１０は、図２（ａ）〜（ｃ）に示すように、本体１の上爪２および下爪３と同一長さで略同一形状の上爪部材１１および下爪部材１２が同一方向に複数本（本実施形態では２本）並列されている。異なる点としては、爪ユニット１０の基端部１０ａ側が、本体１の基端部１ａよりもやや大きい矩形状に形成されている点と、本体１の上爪２および下爪３の接離動作に応じて、上爪２および下爪３の互いの対向面３ａ，２ａに対して進退するように、一対の補助爪１５が前後に配置されている点である。そして、爪ユニット１０の基端部１０ａは、長手方向の中心線ｘ（水平線Ｈ）に対して直交方向にボルトＢの挿通孔１６が形成されるとともに、位置決めピンＰが爪ユニット１０の装着に対して邪魔にならないように、すなわち本体１と爪ユニット１０とが密着するように逃げ孔１７が形成されている。また、爪ユニット１０の上爪部材１１および下爪部材１２の各先端部には、本体１の上爪２および下爪３と同様に、滑り止め１８が形成されている。そして、左右の爪ユニット１０が、本体１の左右の両側面に対して線対称になるようにボルトＢによって装着される（図３参照）。なお、上爪２および上爪部材１１の長さは、３０〜３５ｃｍ程度、下爪３および下爪部材１２の長さは、２５〜３０ｃｍ程度、上爪２および下爪３に爪ユニット１０が取り付けられた状態の幅寸法は、１５ｃｍ程度になっている。特に、上爪２および下爪３に爪ユニット１０が取り付けられた状態の幅寸法を、１５ｃｍ程度とした理由は、腕金に配置された各碍子間が１６ｃｍ程度で、碍子間に作られた鳥の巣に撤去するに際して、鳥の巣撤去用具Ａを挿入しやすくするためである。
【００２１】
この爪ユニット１０の使用態様について具体的に説明すると、鳥の巣がしっかりと作られている場合は、爪ユニット１０を使用することなく、本体１の上爪２および下爪３のみとする。そうすることで、下爪３が鳥の巣の下側に挿し込みやすく、上爪２および下爪３のみで鳥の巣を支承することができる。また、鳥の巣がしっかりと作られていない場合は、例えば、図３に示すように、爪ユニット１０を、上爪２および下爪３の両側面にそれぞれ取り付け、櫛歯状に構成する。そうすることで、不安定に作られている鳥の巣を、上爪２および下爪３並びに爪ユニット１０の上下の爪部材１１，１２によって広範囲に上下から挟み込むので、巣の枝やワイヤーなどを支承できて、鳥の巣を形崩れすることなく撤去することができる。
【００２２】
補助爪１５は、図２（ａ）に示すように、側面視直角三角形状を呈し、図２（ｂ）に示すように、平面視二等辺三角形状を呈している。そして、リンク機構２０によって、爪ユニット１０の上爪部材１１および下爪部材１２の互いの対向面１２ａ，１１ａに対して進退できるように、回動支持されている。該リンク機構２０は、上爪２および下爪３の基端部に配置された支点ａ１，ａ２に、水平線Ｈ（長手方向の中心線ｘ）に対して直交方向に回動支持された第１リンク２１と、上爪２および下爪３の長手方向に沿って配置され、第１リンク２１の先端部に配置された支点ｂ１，ｂ２に一端部が連結されるとともに、補助爪１５の一方の角部（図２（ａ）で見た場合、短辺と斜辺とで形成される角部）に配置された支点ｃ１，ｃ２に他端部が連結された第２リンク２２とで構成されている。また、上爪２および下爪３の先端部に配置された支点ｄ１，ｄ２に、補助爪１５の他方の角部（図２（ａ）で見た場合、短辺と底辺とで形成される角部）が回動支持されている。そして、上下の爪部材１１，１２には、リンク機構２０（主として、第２リンク２２）が駆動できるように、内部に駆動用スペースＳが形成されている。
【００２３】
したがって、図５に示すように、上爪２および下爪３が実線の位置から鎖線の位置へ回動すると、補助爪１５の支点ｄ１，ｄ２が、上爪２および下爪３の回動軌跡に沿って移動するとともに、支点ｃ１，ｃ２が鎖線に示す位置へ移動する。この際、支点ｃ１，ｃ２の移動に伴って第２リンク２２が鎖線に示す位置へ移動するとともに、第１リンク２１が鎖線に示す位置へ移動する。すなわち、補助爪１５は、上下の爪部材１１，１２の内面の下側から前側に６０度程度回動することで、一点鎖線に示す後退位置（上下の爪部材１１，１２の内部）から二点鎖線に示す進出位置（外部）へ回動し、交差する位置で停止することになる。具体的に説明すると、補助爪１５は、上下の爪部材１１，１２の内部に位置している場合（後退位置にある場合）は、図２（ａ）に示すように、短辺が水平線Ｈに対して直交方向に位置し、底辺が上下の爪部材１１，１２の内面の曲線に沿うように位置している。外部に位置している場合（進出位置にある場合）は、図４に示すように、短辺が水平線Ｈに対して交差するように位置し、底辺および斜辺で形成される先端部が、上下の爪部材１１，１２の互いの対向面１２ａ，１１ａに対して進出して交差するように構成されている。すなわち、上下の爪部材１１，１２の先端部が交差することで、鳥の巣内部に確実に噛み込んで、鳥の巣を撤去できるようになる。
【００２４】
そして、上爪２および下爪３並びに爪ユニット１０の上下の爪部材１１，１２を、ステンレスのような金属で形成されているときは、絶縁性のカバーによって被覆（図示せず）し、上爪２および下爪３並びに爪ユニット１０の上下の爪部材１１，１２が電線に接触しても短絡しないようにされている。また、上爪２および下爪３並びに爪ユニット１０の上下の爪部材１１，１２が、ＦＲＰやＡＢＳのような樹脂で形成されているときは、絶縁性のカバーで被覆する必要はない。
【００２５】
つぎに、上述した鳥の巣撤去用具Ａを間接活線工事用把持具Ｙの先端部に取り付けた間接活線工事用具について説明する。まず、間接活線工事用把持具Ｙの構成について、図７を参照して簡単に説明する。絶縁性を有する筒状の主軸３０と、該主軸３０の先端部３０ｂに配置された把持部３５と、主軸３０の基端部３０ａに配置され、把持部３５の開閉操作を手元で行えるように構成される操作機構部４０とを備えている。
【００２６】
主軸３０は、円筒状を呈しており、吸湿性の少ないエポキシ樹脂系強化プラスチックやポリエステル樹脂系強化プラスチックなどの変形し難くかつ絶縁性が低下しない部材によって形成されている。そして、その内部の両側には詰栓を行い、浸水を防ぐために接着剤にて表面をコーティング処理するなどの防水処理が施されている（図示せず）。そして、主軸３０は、該主軸３０の基端部３０ａ側の開口端部に嵌着されたゴムキャップ３１と、主軸３０の中間部に嵌合固定された、感電事故を防止するために把持してよい部分とそれ以外の部分との境界を明確にするための安全限界つば３２と、安全限界つば３２の上方に降雨時の対策として嵌合固定された水切り用のつば（水切りつば）３３とを備えている。そして、安全限界つば３２、および、水切りつば３３は、いずれも軟質性の合成ゴムから形成されている。
【００２７】
把持部３５は、主軸３０の先端部３０ｂから延出された円弧状の固定側把持片３５ａと、後述する操作軸４３の一端部に連結されて、固定側把持片３５ａに対して接離するように構成された可動側把持片３５ｂとを有している。
【００２８】
操作機構部４０は、回動支持されるとともに、つる巻きバネ４１によって、常時元の位置へ復帰するように弾性付勢された操作レバー４２と、上述したように、一端部が可動側把持片３５ｂに連結されるとともに、他端部が操作レバー４２に連結された、絶縁性を有する操作軸４３とを備えている。そして、操作軸４３の中途部に水切りつば４４が嵌合固定されている。
【００２９】
そして、操作レバー４２を主軸３０の基端部３０ａ側に回動させると、操作軸４３が斜め下方に移動して、可動側把持片３５ｂが固定側把持片３５ａ側に移動して、固定側把持片３５ａに当接する一方、主軸３０の基端部３０ａ側に位置する操作レバー４２に対する力を緩めると、操作レバー４２は、つる巻きバネ４１の弾性付勢によって元の位置へ復帰し、可動側把持片３５ｂが固定側把持片３５ａから離間する。
【００３０】
また、間接活線工事用把持具Ｙの固定側把持片３５ａおよび可動側把持片３５ｂは、図６（ａ），（ｂ）に示すように、鳥の巣撤去用具Ａの本体１の基端部１ａに配置された取付部４に対して、軸方向に挿入されて、ねじ止めされるように構成される。したがって、間接活線工事用把持具Ｙの操作レバー４２の操作によって、可動側把持片３５ｂが固定側把持片３５ａに対して開閉動作するようになり、この開閉動作に従動して、鳥の巣撤去用具Ａの上爪２および下爪３、爪ユニット１０の上下の爪部材１１，１２が開閉するようになる。
【００３１】
つぎに本実施形態に係る鳥の巣撤去用具および間接活線工事用具の使用態様について図６（ａ），（ｂ）を参照して説明する。なお、この鳥の巣撤去用具Ａは、必要に応じて、ワイヤーなどを切断する切断手段、網や袋のような収集手段、埃を取るためのブラシのような掃除用具（いずれも図示せず）と組み合わせて使用される。
【００３２】
まず、１人または２人の作業者が、一対の把持片３５ａ，３５ｂに、鳥の巣撤去用具Ａの本体１が取り付けられた間接活線工事用把持具Ｙ、切断手段、収集手段を携帯して、高所作業車のバケットに乗り、鳥の巣に近づく。そして、鳥の巣Ｘを作っているワイヤーが電柱の腕金に形成された孔に通されているような場合は、まず、このワイヤーを切断手段によって切断する。そして、収集手段を鳥の巣Ｘの下側に構え（図示せず）、図６（ａ）に示すように、鳥の巣撤去用具Ａの下爪３を、鳥の巣Ｘの下側に挿し込む。収集手段を構える作業者と鳥の巣撤去用具Ａを操作する作業者とは、同人であっても別人であってもよい。
【００３３】
そして、上述したように、鳥の巣Ｘがしっかりと作られている場合は、鳥の巣撤去用具Ａの上爪２および下爪３のみを使用し、鳥の巣Ｘがしっかりと作られていない場合は、鳥の巣撤去用具Ａの上爪２および下爪３の両側面に爪ユニット１０を取り付ける。いずれにしても、作業者が間接活線工事用把持具Ｙの基端部３０ａを持って、鳥の巣撤去用具Ａの下爪３を鳥の巣Ｘの下側に挿し込むとともに、鳥の巣撤去用具Ａの上爪２を鳥の巣Ｘの上方に位置させる。
【００３４】
そして、作業者が間接活線工事用把持具Ｙの操作レバー４２を操作して、図６（ｂ）に示すように、鳥の巣撤去用具Ａの上爪２および下爪３、爪ユニット１０の上下の爪部材１１，１２を近接させて、鳥の巣Ｘを上下から挟み込む。この際、爪ユニット１０の上下の爪部材１１，１２の補助爪１５が、鳥の巣撤去用具Ａの上爪２および下爪３の近接動作によって、爪ユニット１０の上下の爪部材１１，１２の互いの対向面１２ａ，１１ａに対して進出することになり、鳥の巣Ｘの内部に補助爪１５が食い込むことになるため、間接活線工事用把持具Ｙの基端部３０ａを手前に引き寄せると、鳥の巣Ｘは電柱上から容易に撤去され、収集手段内に入れられる。
【００３５】
この際、鳥の巣撤去用具Ａの上爪２および下爪３並びに爪ユニット１０の上下の爪部材１１，１２の間から鳥の巣Ｘを作っている枝葉が落下したとしても、この枝葉は、収集手段内に集められ、地上に落下することがない。さらに、鳥の巣Ｘを撤去した後の、腕金などは、掃除用具によって清掃される（図示せず）。
【００３６】
また、鳥の巣撤去用具Ａの上爪２および下爪３並びに爪ユニット１０の上下の爪部材１１，１２は、電線や周辺機器の充電部から離間した位置で開閉操作しているため、安全に作業することができる。
【００３７】
このように、本実施形態に係る鳥の巣撤去用具Ａによれば、鳥の巣Ｘを掬えるとともに、上下から挟める長さを有する上爪２および下爪３が、外方に向かうにしたがって大きく開口するように上下に配置されるとともに、接離できるように構成され、さらに、上爪２および下爪３の接離動作に応じて、上爪２および下爪３の内面に対して進退するように、補助爪１５を配置するようにしたので、鳥の巣Ｘを容易に且つ安全に撤去することができる。
【００３８】
なお、本発明は、前記の実施形態に限定することなく、特許請求の範囲に記載した発明特定事項の範囲内において種々変更することができる。
【００３９】
例えば、前記実施形態の場合、爪ユニット１０の上下の爪部材１１，１２の内面に対して補助爪１５を回動自在に支持するようにしたが、水平線Ｈに対して略直交方向に進退するようにしてもよい。
【００４０】
また、前記実施形態の場合、間接活線工事用把持具Ｙの一対の把持片３５ａ，３５ｂに、鳥の巣撤去用具Ａを取り付けた間接活線工事用具としたが、一体化されているものであってもよい。
【符号の説明】
【００４１】
１ａ…一端部（基端部）、１ｂ…他端部（先端部）、２…上爪、３…下爪、２ａ，３ａ、１１ａ，１２ａ…対向面、１０…爪ユニット、１１，１２…爪部材、１５…補助爪、３０…主軸、３０ｂ…間接活線工事用把持具の先端部、Ａ…鳥の巣撤去用具、Ｂ…ボルト、Ｐ…位置決めピン、Ｓ…リンク機構の駆動用空間、Ｘ…鳥の巣、Ｙ…間接活線工事用把持具
【図１】
0005902889.tif 000002
【図２】
0005902889.tif 000003
【図３】
0005902889.tif 000004
【図４】
0005902889.tif 000005
【図５】
0005902889.tif 000006
【図６】
0005902889.tif 000007
【図７】
0005902889.tif 000008